(57)【要約】【課題】導光板に熱膨張・収縮が生じた場合においても、確実に前記導光板を保持できる表示装置及びテレビジョン受像機を提供する。【解決手段】矩形の導光板１５を備える表示装置において、導光板１５と同一又は類似する膨張率を有し、導光板１５の一辺に沿って設けられ、導光板１５を保持する保持部材１７を備える。【選択図】図３
2019144398.tif 000002
【特許請求の範囲】
【請求項１】
矩形の導光板を備える表示装置において、
前記導光板と同一又は類似する膨張率を有し、前記導光板の一辺に沿って設けられ、前記導光板を保持する保持部材を備えることを特徴とする表示装置。
【請求項２】
前記導光板と対向する放熱板を備え、
前記保持部材は、
前記導光板及び前記放熱板の間に介在し、
長手方向に沿って移動可能に、前記放熱板に取り付けられていることを特徴とする請求項１に記載の表示装置。
【請求項３】
前記保持部材は前記放熱板に掛止するフック状の掛止部を有し、
前記放熱板は、矩形をなし、前記導光板の前記一辺に沿って設けられ、前記保持部材の前記掛止部に対応する掛止孔を有しており、
前記保持部材の長手方向における前記掛止部の寸法は、前記放熱板の長手方向における前記掛止孔の寸法より小さいことを特徴とする請求項２に記載の表示装置。
【請求項４】
前記保持部材は前記放熱板に対する位置を決める位置決め突起を有し、
前記放熱板は、矩形をなし、前記導光板の前記一辺に沿って設けられ、前記保持部材の前記位置決め突起に対応する貫通孔を有しており、
前記保持部材の長手方向における前記位置決め突起の寸法は、前記放熱板の長手方向における前記貫通孔の寸法より小さいことを特徴とする請求項２又は３に記載の表示装置。
【請求項５】
前記導光板の前記一辺側に配置された光源を備え、
前記保持部材は、
前記導光板の前記一辺の両端に係る端部を挟持する挟持部と、
前記導光板の前記一辺に係る一側面と前記光源との間隔を維持する間隔維持部とを有することを特徴とする請求項３又は４に記載の表示装置。
【請求項６】
前記放熱板は前記導光板の前記一側面と対向する対向板部を有しており、
前記保持部材の前記間隔維持部は、
前記導光板の前記一側面の端部と接する扁平接触部と、
前記放熱板の前記対向板部と係合する係合部と
を有することを特徴とする請求項５に記載の表示装置。
【請求項７】
前記位置決め突起は、前記保持部材の長手方向において、前記間隔維持部より中央側に設けられていることを特徴とする請求項５又は６に記載の表示装置。
【請求項８】
請求項１から請求項７のいずれか一つに記載の表示装置と、
テレビジョン放送を受信する受信部と、
前記受信部で受信したテレビジョン放送に基づいて画像を表示する表示パネルと
を備えることを特徴とするテレビジョン受像機。
【発明の詳細な説明】
【技術分野】
【０００１】
本発明は、表示装置及びテレビジョン受像機に関する。
【背景技術】
【０００２】
近年、画像を表示する表示装置として、液晶表示装置が広く普及している。液晶表示装置は、画像が表示される液晶表示パネルと、光を発する光源と、該光源からの光を拡散させて前記液晶表示パネルに照射する導光板とを有する。
【０００３】
前記液晶表示装置においては、前記導光板を固定する必要があるが、前記光源からの熱に起因して前記導光板が膨張するので、前記導光板の固定の際には撓みが生じないように工夫が要求される。
【０００４】
例えば、特許文献１の表示装置においては、表示パネルと、導光板と、前記導光板の一側面と平行な板状部を有する放熱体とを備え、前記放熱体は、前記板状部から離れた位置に、前記導光板の前記一側面と略平行をなして突設された２つの位置決め突起を有し、前記導光板は前記一側面の両端部に切り欠きが形成され、前記位置決め突起の夫々が前記切り欠きと係合することによって前記導光板を保持することについて開示されている。
【先行技術文献】
【特許文献】
【０００５】
【特許文献１】国際公開第２０１５／１８６６３８号
【発明の概要】
【発明が解決しようとする課題】
【０００６】
しかし、上述した特許文献１の表示装置においては、前記放熱板の位置決め突起に前記導光板の切り欠きが引っかかっているのみで確実な保持はされておらず、前記位置決め突起の熱膨張率に比べて前記導光板の熱膨張率が大きいことから、熱膨張のときにおいては、前記位置決め突起及び前記切り欠きの間隔がより大きくなる。従って、外部から振動、衝撃等が表示装置に与えられた場合は前記切り欠き（導光板）が前記位置決め突起から外れるという問題がある。
【０００７】
本発明は、斯かる事情に鑑みてなされたものであり、その目的とするところは、導光板に熱膨張・収縮が生じた場合においても、確実に前記導光板を保持できる表示装置及びテレビジョン受像機を提供することにある。
【課題を解決するための手段】
【０００８】
本発明に係る表示装置は、矩形の導光板を備える表示装置において、前記導光板と同一又は類似する膨張率を有し、前記導光板の一辺に沿って設けられ、前記導光板を保持する保持部材を備えることを特徴とする。
【０００９】
本発明にあっては、前記導光板を保持する、前記保持部材が前記導光板の一辺に沿って設けられており、前記導光板と同一又は類似する膨張率を有する。従って、前記導光板の熱膨張・収縮の際、前記保持部材も前記導光板と同程度の熱膨張・収縮を行い、前記導光板の保持状態を維持する。
【発明の効果】
【００１０】
本発明によれば、前記導光板に熱膨張・収縮が生じた場合においても、確実に前記導光板を保持できる表示装置及びテレビジョン受像機を提供できる。
【図面の簡単な説明】
【００１１】
【図１】本実施の形態に係るテレビジョン受像機の外観を示す斜視図である。
【図２】本実施の形態に係るテレビジョン受像機の主要部の分解斜視図である。
【図３】本実施の形態に係るテレビジョン受像機において保持部材が導光板を保持する状態を示す図である。
【図４】本実施の形態に係るテレビジョン受像機において放熱板に保持部材を固定した状態を示す図である。
【図５】図３の破線の円部分を拡大した拡大図である。
【図６】図３に示す導光板及び保持部材の図面視右側を拡大した図である。
【図７】本実施の形態に係るテレビジョン受像機において保持部材が導光板を保持する状態を導光板の前側から示す部分的正面図である。
【図８】図４に示す放熱板及び保持部材の図面視右側を拡大した図である。
【図９】本実施の形態に係るテレビジョン受像機において保持部材が放熱板に取り付けられた状態を放熱板の後側から示す部分的背面図である。
【図１０】図８の破線の円部分を拡大して表示する斜視図である。
【図１１】図４のＡ‐Ａ線による断面図である。
【図１２】図８のＢ‐Ｂ線による断面図である。
【発明を実施するための形態】
【００１２】
以下に、本実施の形態に係る表示装置を、いわゆるテレビジョン受像機に適用した場合を例として、図面に基づいて詳述する。
図１は、本実施の形態に係るテレビジョン受像機の外観を示す斜視図である。図１中、符号１は本実施の形態に係るテレビジョン受像機を示す。
【００１３】
テレビジョン受像機１はフロントフレーム１１、液晶表示パネル１２、チューナ部２１（受信部）、スタンド３、スピーカユニット４を含む。フロントフレーム１１は矩形枠状をなし、液晶表示パネル１２の周縁を覆っている。液晶表示パネル１２は矩形板状をなし、映像を表示する。スタンド３は、テレビジョン受像機１をテーブル等の平面に立てて載置するためのものである。スピーカユニット４は、液晶表示パネル１２の一の長辺に沿って設けられており、長手方向の寸法がフロントフレーム１１とほぼ同一で、略直方体状をなしている。また、チューナ部２１はテレビジョン受像機１の内部に備えられている。チューナ部２１は、テレビジョン放送を受信し、放送信号を取り出す。放送信号は所定の処理により、映像信号と音声信号とに分離される。分離された映像信号に基づいて液晶表示パネル１２に映像が表示され、分離された音声信号に基づいてスピーカユニット４より音声が出力される。
【００１４】
以下の説明においては、テレビジョン受像機１の液晶表示パネル１２が設けられた側を前と言い、テレビジョン受像機１の厚み方向において、前と反対側を後と言う。また、テレビジョン受像機１の液晶表示パネル１２を正面にして、図面視左右をそれぞれ左右と言い、図面視上下をそれぞれ上下と言う。更に、テレビジョン受像機１の各構成要素の説明においては、各構成要素が組み付けられた状態での方向を用いて記述する。
【００１５】
図２は、本実施の形態に係るテレビジョン受像機１の主要部の分解斜視図である。テレビジョン受像機１は、さらに、光学シート１３、ミドルシャーシ１４、導光板１５、反射シート１６、保持部材１７、光源１８、放熱板１９、バックライトシャーシ２０を含む。
【００１６】
液晶表示パネル１２の後側には、光学シート１３が配置されている。光学シート１３は、導光板１５を介して入射される光源１８からの光に対して、拡散、集光等を行う。光学シート１３は、拡散シート、プリズムシート等の複数のシートが積層されたものである。
【００１７】
ミドルシャーシ１４は、例えば樹脂で形成された４つの棒状部材であり、光学シート１３の下辺側、右辺側、上辺側及び左辺側に夫々設けられている。４つのミドルシャーシ１４はそれぞれ断面が略Ｌ字状をなしており、４つのミドルシャーシ１４が組み合わさることによって、全体として矩形枠状をなす。ミドルシャーシ１４は、内側の一部が光学シート１３及び導光板１５の間に介在することによって、光学シート１３及び導光板１５の間隔を均一に保つ。
具体的には、ミドルシャーシ１４は内側に突設された鍔部を有し、前記鍔部が導光板１５の前面側周縁部を覆うように、ミドルシャーシ１４がバックライトシャーシ２０に固定され、ミドルシャーシ１４の前記鍔部を挟んで光学シート１３が配置される。
【００１８】
光学シート１３の後側には、導光板１５が配置されている。導光板１５は、例えば透明度の高い矩形のアクリル樹脂からなる。導光板１５は側面から入射される、光源１８からの光を拡散させて均一な平面光に変えて、前側の面から光学シート１３に向けて出射させる。
また、導光板１５は、後側の面に反射シート（図示せず）を有している。前記反射シートは、導光板１５と類似する矩形状をなし、略同一の大きさである。前記反射シートは、光源１８から入射される光を導光板１５の前記後の面から前記前の面に向けて全反射する。
【００１９】
導光板１５の後側であって、導光板１５の下辺側には、保持部材１７が配置されている。保持部材１７は例えば樹脂製であり、細長い矩形をなしている。保持部材１７は導光板１５の後側にて導光板１５を保持する。保持部材１７は、例えば、導光板１５の熱膨張率と類似する熱膨張率を有する材料からなる。ここで、類似する熱膨張率とは、導光板１５の熱膨張率に対して±１０％範囲内の熱膨張率を言う。保持部材１７についての詳細は、後で説明する。
【００２０】
また、導光板１５における前記下辺に係る側面と対向する位置には、光源１８が設けられている。光源１８は後述する基板１８２と、白色ＬＥＤ１８１とを有する。基板１８２は短冊状をなしており、導光板１５の前記側面と対向する対向面に複数の白色ＬＥＤ１８１が基板１８２の長手方向に沿って実装されている。
【００２１】
導光板１５及び保持部材１７の後側であって、導光板１５の下辺側には、放熱板１９が配置されている。即ち、導光板１５と、放熱板１９との間に、保持部材１７が介在している。
放熱板１９は、例えばアルミニウムなどの熱伝導性の高い金属による押出成形品である。放熱板１９は短冊状をなしており、長手方向の寸法が左右方向における放熱板１９及び保持部材１７の寸法と略等しい。しかし、保持部材１７の幅方向の寸法は、上下方向における、放熱板１９の寸法より小さく、保持部材１７の寸法より大きい。保持部材１７は放熱板１９の下辺側に取り付けられる。
【００２２】
放熱板１９は、光源１８で発生した熱を吸収して発散させる機能を担っている。また、上述したように、導光板１５と、放熱板１９との間には、保持部材１７が部分的に介在しているので、導光板１５と、放熱板１９との間には間隔が形成されている（図１１参照）。従って、放熱板１９が吸収した熱が導光板１５又は反射シート１６伝わることを極力抑制できる。
【００２３】
放熱板１９の後側には、バックライトシャーシ２０が配置されている。バックライトシャーシ２０は、一面が開口され矩形状の底を有する箱体状をなす。バックライトシャーシ２０は、例えば鉄板をプレス加工して形成する。バックライトシャーシ２０は光学シート１３、ミドルシャーシ１４、導光板１５、反射シート１６などを収容する。また、フロントフレーム１１はバックライトシャーシ２０にネジ止めされる。 
【００２４】
図３は、本実施の形態に係るテレビジョン受像機１において保持部材１７が導光板１５を保持する状態を示す図であり、図４は、本実施の形態に係るテレビジョン受像機１において放熱板１９に保持部材１７を固定した状態を示す図である。図３は、導光板１５の後面側から導光板１５及び保持部材１７を示しており、図４は、放熱板１９の前面側から放熱板１９及び導光板１５を示している。
【００２５】
導光板１５の下辺に係る側面と対向するように、光源１８が配置されており、保持部材１７は導光板１５の前記下辺に沿って配置されている。保持部材１７な両端に導光板１５を保持する保持部１７１，１７１を夫々有している。即ち、保持部材１７は、導光板１５の前記下辺に係る両端部を挟持することによって導光板１５を保持する。
【００２６】
保持部材１７は、導光板１５の左側を挟持する保持部材１７Ｌと、導光板１５の右側を挟持する保持部材１７Ｒとに分割されている。しかし、本実施の形態に係るテレビジョン受像機１はこれに限るものでない。保持部材１７は保持部材１７Ｌ及び保持部材１７Ｒが一体形成された形状であっても良い。以下、説明の便宜上、保持部材１７Ｌ及び保持部材１７Ｒをまとめて保持部材１７とも言う。
【００２７】
保持部材１７Ｌ及び保持部材１７Ｒは、放熱板１９に掛止するための掛止部１７２を夫々３つ有している。また、放熱板１９に対する位置決めのための位置決め突起１７３を夫々３つ有している。各掛止部１７２及び各位置決め突起１７３は、保持部材１７の長手方向にて隔てて形成されている。更に、各掛止部１７２及び各位置決め突起１７３は、保持部材１７の長手方向において、保持部１７１より中央側に設けられている。
【００２８】
図５は、図３の破線の円部分を拡大した拡大図である。
保持部材１７の上辺の３箇所には、保持部材１７の面に沿う方向に延びる矩形部が形成されており、掛止部１７２は前記矩形部の内側に設けられている。各掛止部１７２は、例えばフック形状であり、前記矩形部から後側に、即ち放熱板１９側へ突設されている（図１１参照）。
【００２９】
各位置決め突起１７３は円筒状をなしており、保持部材１７の幅方向の中間部であって、掛止部１７２の近傍に設けられている。位置決め突起１７３は保持部材１７の後面から後側に、即ち放熱板１９側へ突設されている（図１１参照）。
【００３０】
また、掛止部１７２及び位置決め突起１７３は、上下方向において直線上、換言すれば、左右方向において同一位置に形成されている。従って、保持部材１７の位置決めの際、掛止部１７２の掛止位置も共に定めることができる。
【００３１】
上述したように、各掛止部１７２及び各位置決め突起１７３は、保持部材１７の長手方向において、保持部１７１より中央側に設けられている。従って、保持部１７１は位置決め突起１７３及び挟持部１７４に妨げられず、自由に伸縮できる。
【００３２】
更に、保持部材１７が導光板１５の熱膨張率と類似する熱膨張率を有することから、導光板１５の伸縮に伴って保持部１７１も同程度の伸縮を行う。従って、熱膨張が生じることによって、保持部１７１と導光板１５との相対的位置がズレルことを抑制できる。よって、導光板１５の熱膨張の際にも保持部１７１が確実に導光板１５を保持できる。
【００３３】
保持部材１７は位置決め突起１７３及び掛止部１７２を用いて放熱板１９に固定される。図４に示すように、保持部材１７は、放熱板１９の下辺に沿って放熱板１９の前面に取り付けられる。また、放熱板１９の前記下辺側には、光源１８が前記下辺に沿って設けられる。
【００３４】
図６は、図３に示す導光板１５及び保持部材１７の図面視右側を拡大した図であり、図７は、本実施の形態に係るテレビジョン受像機１において保持部材１７が導光板１５を保持する状態を導光板１５の前側から示す部分的正面図である。
【００３５】
上述したように、導光板１５の前記下辺に沿って保持部材１７が設けられており、左右方向における導光板１５の下側両端部を保持部材１７の各保持部１７１が挟持している。導光板１５の前記下辺に係る側面１５１と対向するように光源１８の基板１８２が配置されており、基板１８２の実装面にＬＥＤ１８１が実装されている。保持部１７１は、導光板１５を保持し、ＬＥＤ１８１の先端面と導光板１５の側面１５１との間隔を一定に保つ。従って、ＬＥＤ１８１と導光板１５との衝突による損傷を防ぐ。
【００３６】
各保持部１７１は、導光板１５の下側端部を挟持する挟持部１７４と、ＬＥＤ１８１の先端面と導光板１５の側面１５１との間隔を一定に維持する間隔維持部１７５とを有する。
【００３７】
各挟持部１７４は矩形板状をなし、保持部材１７の長手方向の端から前側に突設されている。即ち、保持部材１７Ｌの挟持部１７４が導光板１５の下側左端を右方向に押し付け、保持部材１７Ｒの挟持部１７４が導光板１５の下側右端を左方向に押し付けることによって、保持部材１７が導光板１５を挟持する。また、各挟持部１７４と導光板１５の端部との間には、クッションＣを設けても良い。
【００３８】
間隔維持部１７５は、導光板１５の側面１５１の端部と接触して側面１５１を支える扁平接触部１７６と、後述する放熱板１９の対向板部１９１と係合を行う係合部１７７とを有する。
【００３９】
扁平接触部１７６は細長い板状をなしており、保持部材１７の下辺から挟持部１７４と交差するように前側に突設されている。換言すれば、扁平接触部１７６は保持部材１７の前記下辺及び挟持部１７４の下辺から延設されている。扁平接触部１７６は幅方向（前後方向）の寸法が導光板１５の厚みと等しく、扁平接触部１７６の上面が導光板１５の側面１５１の端部と接する（図１２参照）。また、扁平接触部１７６の下面の一部分には係合部１７７が設けられている。係合部１７７が放熱板１９の対向板部１９１と係合を行うことによって、間隔維持部１７５（保持部１７１）を確実に固定できる。従って、ＬＥＤ１８１の先端面と導光板１５の側面１５１との間隔か一定に維持される。
【００４０】
図８は、図４に示す放熱板１９及び保持部材１７の図面視右側を拡大した図であり、図９は、本実施の形態に係るテレビジョン受像機１において保持部材１７が放熱板１９に取り付けられた状態を放熱板１９の後側から示す部分的背面図である。また、図１０は、図８の破線の円部分を拡大して表示する斜視図である。
【００４１】
上述したように、位置決め突起１７３及び掛止部１７２によって、保持部材１７は、放熱板１９の下辺に沿って放熱板１９の前面に取り付けられる。保持部材１７が放熱板１９に取り付けられた場合、放熱板１９において、保持部材１７の掛止部１７２に整合する位置には、掛止部１７２に対応する掛止孔１９２が形成されている。また、保持部材１７が放熱板１９に取り付けられた場合、放熱板１９において、保持部材１７の位置決め突起１７３に整合する位置には、位置決め突起１７３に対応する貫通孔１９３が形成されている。
【００４２】
図１１は、図４のＡ‐Ａ線による断面図であり、図１２は、図８のＢ‐Ｂ線による断面図である。図１１及び図１２においては、説明の便宜上、導光板１５を破線にて表示している。
【００４３】
掛止孔１９２は、放熱板１９を厚み方向に貫通する長孔である。掛止孔１９２は長手方向が放熱板１９の長手方向に沿うように形成されている。換言すれば、掛止孔１９２の長手方向は導光板１５の長手方向と略同じである。放熱板１９の長手方向における掛止孔１９２の寸法は、保持部材１７の長手方向における掛止部１７２の寸法より大きい。保持部材１７が放熱板１９に取り付けられる場合、保持部材１７の掛止部１７２が放熱板１９の掛止孔１９２内に挿入され、掛止孔１９２の上側縁に引っかかる。
【００４４】
貫通孔１９３は、放熱板１９を厚み方向に貫通する長孔である。貫通孔１９３は長手方向が放熱板１９の長手方向に沿うように形成されており、貫通孔１９３の長手方向は導光板１５の長手方向と略同じである。放熱板１９の幅方向（上下方向）における貫通孔１９３の寸法は、保持部材１７の幅方向（上下方向）における位置決め突起１７３の寸法と同じである。従って、位置決め突起１７３を貫通孔１９３に嵌め込むことによって、上下方向における保持部材１７の位置を定めることができる。
一方、放熱板１９の長手方向における貫通孔１９３の寸法は、保持部材１７の長手方向における位置決め突起１７３の寸法より大きい。
【００４５】
このように、本実施の形態に係るテレビジョン受像機１においては、掛止孔１９２及び貫通孔１９３の長手方向が導光板１５の長手方向と略同じであるので、保持部材１７は位置決め突起１７３及び挟持部１７４に妨げられず、自由に伸縮できる。
【００４６】
即ち、保持部材１７が導光板１５の熱膨張率と類似する熱膨張率を有することから、導光板１５の伸縮に伴って保持部１７１も同程度の伸縮を行う。更に、導光板１５の熱膨張はその長手方向において大きい。しかし、掛止孔１９２及び貫通孔１９３の長手方向は導光板１５の長手方向と略同じであるので、保持部材１７（導光板１５）の熱膨張の際、掛止部１７２及び位置決め突起１７３が夫々掛止孔１９２及び貫通孔１９３内を、導光板１５の長手方向に摺動できる。従って、保持部材１７は位置決め突起１７３及び挟持部１７４に妨げられず、自由に熱膨張・収縮できる。よって、熱膨張が生じることによって、保持部１７１と導光板１５との相対的位置がズレルことを抑制でき、導光板１５の熱膨張の際にも保持部１７１が確実に導光板１５を保持できる。
【００４７】
放熱板１９の前記下辺には光源１８が配置される。放熱板１９は、前記下辺から前側（導光板１５側）に突設された対向板部１９１を有する。対向板部１９１は放熱板１９の前記下辺に沿って形成されており、細長い矩形板状をなしている。対向板部１９１は、両端部にて、幅方向（前後方向）の寸法が狭くなっている。図１１及び図１２に示しているように、対向板部１９１の上面は導光板１５の側面１５１と対向している。
【００４８】
対向板部１９１において、両端部を除く部分には、光源１８が配置される。また、対向板部１９１における両端部には、保持部１７１の間隔維持部１７５（係合部１７７）が係合される。
【００４９】
上述の如く、保持部１７１の間隔維持部１７５は、扁平接触部１７６及び係合部１７７を有しており、扁平接触部１７６の前記上面には導光板１５の側面１５１の端部が載置される。扁平接触部１７６の下面における前側縁には係合部１７７が延設されている。係合部１７７は、縦断面視Ｌ字の形状をなしており、扁平接触部１７６と共に、後側（放熱板１９側）に向けて開口しているＣ字形状をなす（図１２参照）。係合部１７７は扁平接触部１７６の下面を用いて放熱板１９の対向板部１９１との係合を行う。従って、間隔維持部１７５の固定が確実に行われ、ＬＥＤ１８１の先端面と導光板１５の側面１５１との間隔（例えば、０．４±０．１ｍｍ）が安定に維持できる。
【００５０】
また、このように、本実施の形態に係るテレビジョン受像機１においては、対向板部１９１の上面に光源１８が配置されており、対向板部１９１の両端に係合された間隔維持部１７５によって、ＬＥＤ１８１の先端面と導光板１５の側面１５１との間隔が維持されている。従って、ＬＥＤ１８１の先端面の位置、及び、導光板１５の側面１５１の位置が共に変更するので、例えば、設計誤差等によって上下方向において対向板部１９１の位置にバラツキが生じた場合であっても、ＬＥＤ１８１の先端面と導光板１５の側面１５１との間隔を維持できる。
【００５１】
以上においては、テレビジョン受像機１がいわゆるエッジ型である場合を例に挙げて説明したが、本実施の形態に係るテレビジョン受像機１はこれに限るものでなく、いわゆる直下型であっても良い。
【００５２】
本開示の実施態様１においては、矩形の導光板１５を備える表示装置１において、前記導光板１５と同一又は類似する膨張率を有し、前記導光板１５の一辺に沿って設けられ、前記導光板１５を保持する保持部材１７を備えることを特徴とする。
【００５３】
本実施形態によれば、前記導光板を保持する、前記保持部材が前記導光板の一辺に沿って設けられており、前記導光板と同一又は類似する膨張率を有する。従って、前記導光板の熱膨張・収縮の際、前記保持部材も前記導光板と同程度の熱膨張・収縮を行い、前記導光板の保持状態を維持出来る。
【００５４】
本開示の実施態様２においては、前記導光板１５と対向する放熱板１９を備え、前記保持部材１７は、前記導光板１５及び前記放熱板１９の間に介在し、長手方向に沿って移動可能に、前記放熱板１９に取り付けられていることを特徴とする。
【００５５】
本実施形態によれば、前記保持部材が前記導光板及び前記放熱板の間に介在することによって、前記導光板及び前記放熱板の間に間隔を設け、前記放熱板の熱が前記導光板に伝導されることを防止できる。
また、前記保持部材が、長手方向に沿って移動可能に、前記放熱板に取り付けられているので、例えば前記保持部材が熱膨張・収縮する場合であっても、前記保持部材が前記放熱板に取り付けられた状態を維持できる。
【００５６】
本開示の実施態様３においては、前記保持部材１７は前記放熱板１９に掛止するフック状の掛止部１７２を有し、前記放熱板１９は、矩形をなし、前記導光板１５の前記一辺に沿って設けられ、前記保持部材１７の前記掛止部１７２に対応する掛止孔１９２を有しており、前記保持部材１７の長手方向における前記掛止部１７２の寸法は、前記放熱板１９の長手方向における前記掛止孔１９２の寸法より小さいことを特徴とする。
【００５７】
本実施形態によれば、前記保持部材の長手方向における前記掛止部の寸法は、前記放熱板の長手方向における前記掛止孔の寸法より小さいので、前記保持部材又は前記放熱板の長手方向における前記掛止部の移動が可能であり、例えば前記保持部材が熱膨張・収縮する場合であっても、前記保持部材の前記掛止部及び前記放熱板の前記掛止孔の掛止状態を維持できる。
【００５８】
本開示の実施態様４においては、前記保持部材１７は前記放熱板１９に対する位置を決める位置決め突起１７３を有し、前記放熱板１９は、矩形をなし、前記導光板１５の前記一辺に沿って設けられ、前記保持部材１７の前記位置決め突起１７３に対応する貫通孔１９３を有しており、前記保持部材１７の長手方向における前記位置決め突起１７３の寸法は、前記放熱板１９の長手方向における前記貫通孔１９３の寸法より小さいことを特徴とする。
【００５９】
本実施形態によれば、前記保持部材の長手方向における前記位置決め突起の寸法は、前記放熱板の長手方向における前記貫通孔の寸法より小さいので、前記保持部材又は前記放熱板の長手方向における前記位置決め突起の移動が可能であり、例えば前記保持部材が熱膨張・収縮する場合であっても、前記保持部材の前記位置決め突起及び前記放熱板の前記貫通孔の結合状態を維持できる。
【００６０】
本開示の実施態様５においては、前記導光板１５の前記一辺側に配置された光源１８を備え、前記保持部材１７は、前記導光板１５の前記一辺の両端に係る端部を挟持する挟持部１７４と、前記導光板１５の前記一辺に係る一側面１５１と前記光源１８との間隔を維持する間隔維持部１７５とを有することを特徴とする。
【００６１】
本実施形態によれば、前記保持部材が、前記挟持部と前記間隔維持部とを有するので、前記導光板を確実に保持でき、かつ前記導光板の前記一側面と前記光源との間隔を均一に維持できる。
【００６２】
本開示の実施態様６においては、前記放熱板１９は前記導光板１５の前記一側面１５１と対向する対向板部１９１を有しており、前記保持部材１７の前記間隔維持部１７５は、前記導光板１５の前記一側面１５１の端部と接する扁平接触部１７６と、前記放熱板１９の前記対向板部１９１と係合する係合部１７７とを有することを特徴とする。
【００６３】
本実施形態によれば、前記間隔維持部の前記扁平接触部が前記導光板の前記一側面の端部を支えて前記導光板の前記一側面と前記光源との間隔を均一に維持する。この際、前記間隔維持部の前記係合部は前記放熱板の前記対向板部と係合を行い、前記扁平接触部の位置を安定にする。
【００６４】
本開示の実施態様７においては、前記位置決め突起１７３は、前記保持部材１７の長手方向において、前記間隔維持部１７５より中央側に設けられていることを特徴とする。
【００６５】
本実施形態によれば、前記位置決め突起が、前記保持部材の長手方向において、前記間隔維持部より中央側に設けられているので、前記間隔維持部の熱膨張・収縮の際、前記位置決め突起と前記貫通孔との係合が妨げにならない。
【００６６】
本開示の実施態様８においては、上述の実施形態に係る表示装置１と、テレビジョン放送を受信する受信部２１と、前記受信部２１で受信したテレビジョン放送に基づいて画像を表示する表示パネル１２とを備えることを特徴する。
【００６７】
本実施形態によれば、上述の表示装置１を用いることにより、導光板が熱膨張・収縮する場合においても確実に導光板を保持できるテレビジョン受像機を提供することができる。
【符号の説明】
【００６８】
１  テレビジョン受像機
１２  液晶表示パネル
１５  導光板
１７  保持部材
１８  光源
１９  放熱板
２１  チューナ部
１５１  側面（一側面）
１７２  掛止部
１７３  位置決め突起
１７４  挟持部
１７５  間隔維持部
１７６  扁平接触部
１７７  係合部
１９１  対向板部
１９２  掛止孔
１９３  貫通孔
【図１】
2019144398.tif 000003
【図２】
2019144398.tif 000004
【図３】
2019144398.tif 000005
【図４】
2019144398.tif 000006
【図５】
2019144398.tif 000007
【図６】
2019144398.tif 000008
【図７】
2019144398.tif 000009
【図８】
2019144398.tif 000010
【図９】
2019144398.tif 000011
【図１０】
2019144398.tif 000012
【図１１】
2019144398.tif 000013
【図１２】
2019144398.tif 000014